(57)【要約】【課題】  両面引出装置の引出し部材を引き出す操作とそのロック操作が部品の水平移動のみで行われ、両面から同時に引き出す操作が抑制される。【解決手段】  引出し部材３０が閉じていると、被ロック部材７４Ｆ、７４Ｂの係止溝４０ＦＧ、４０ＢＧにロック部材半部７８０ＨＦ、７８０ＨＢの突起７８０ＨＦＰ、７８０ＨＢＰが係入して被ロック部材７４Ｆ、７４Ｂをロックし、爪付きロック部材７８０Ｆ、７８０Ｂの爪７８０ＦＰ、７８０ＢＰが相手方の被ロック部材７４Ｂ、７４Ｆの保持筒４０ＢＣ、４０ＦＣの係止溝４０ＢＣＧ、４０ＦＣＧから脱出してロックが解放される。【選択図】        図２
2007007270.tif 000002
【特許請求の範囲】
【請求項１】
前後面が開口するキャビネットに摺動自在に支持され前後面のいずれかからも引き出し自在に支持されている引出し部材と、前記キャビネットの前後の開口面を閉じ前記引出し部材をいずれかの開口から引き出す際に前記引出し部材に結合される前後の２つの鏡板と、前記引出し部材をいずれか一方の開口から引き出すために相応する鏡板を引くと他方の鏡板を前記キャビネットにロックするロック手段とを備えた両面引出し装置において、前記ロック手段は、前記２つの鏡板にそれぞれ設けられて前記キャビネット内に水平に延び前記キャビネットの内面に設けられた案内部材に摺動自在に支持された２つの被ロック部材と、前記被ロック部材をロックするように直線的に変位するロック部材とから成っていることを特徴とする両面引出し装置。
【請求項２】
請求項１に記載の両面引出し装置であって、前記被ロック部材は、杆状であることを特徴とする両面引出し装置。
【請求項３】
前後面が開口するキャビネットに摺動自在に支持され前後面のいずれかからも引き出し自在に支持されている引出し部材と、前記キャビネットの前後の開口面を閉じ前記引出し部材をいずれかの開口から引き出す際に前記引出し部材に結合される前後の２つの鏡板と、前記引出し部材をいずれか一方の開口から引き出すために相応する鏡板を引くと他方の鏡板を前記キャビネットにロックするロック手段とを備えた両面引出し装置において、前記ロック手段は、前記２つの鏡板にそれぞれ取り付けられて前記キャビネット内に水平に延び前記キャビネットの内面に設けられた案内部材に摺動自在に支持された２つの杆状被ロック部材と、前記被ロック部材を可動的に保持して前記被ロック部材をロックするように前記被ロック部材を横切る方向に変位するロック部材とから成っていることを特徴とする両面引出し装置。
【請求項４】
請求項１乃至３のいずれかに記載の両面引出し装置であって、前記ロック部材が変位する方向は、前記キャビネットの上下方向又は左右方向であることを特徴とする両面引出し装置。
【請求項５】
請求項１乃至４のいずれかに記載の両面引出し装置であって、前記２つの被ロック部材は、前記キャビネットの内面に設けられた共通の保持部材にロック部材の変位方向に相対して支持され、前記ロック部材は、前記２つの鏡板が引き込み位置にあるときに、前記保持部材内でそれぞれ相互に反対方向にばね付勢されて相応する２つの被ロック部材の係止溝内に係入して前記２つの鏡板をロックする２つのロック部材半部から成り、各鏡板に相応するロック部材半部は、相応する鏡板が引き出されると前記ばね付勢に抗して相応する被ロック部材の係止溝から脱出するように形成されていることを特徴とする両面引出し装置。
【請求項６】
請求項１乃至４のいずれかに記載の両面引出し装置であって、前記２つの被ロック部材は、前記キャビネットの内面に設けられた案内部材に支持され、前記ロック部材は、前記キャビネットの内面に設けられた保持部材内にそれぞれ保持されて相応する被ロック部材をロックするように前記ロック部材の変位方向にばね付勢されているが、相手方の鏡板が引き込み位置にあるときに、前記相手方の鏡板に結合されている被ロック部材によってばね付勢に抗してロックから解放されるように変位されることを特徴とする両面引出し装置。
【請求項７】
請求項１乃至４のいずれかに記載の両面引出し装置であって、前記ロック手段は、第１のロック機構と第２のロック機構とを含み、第１のロック機構は、前記キャビネットの内面に設けられ前記２つの被ロック部材を前記ロック部材の変位方向に相対して支持する第１の共通の案内部材を兼ねた保持部材と、前記２つの鏡板が引き込み位置にあるときに、前記第１の共通の保持部材内でそれぞれ相互に反対方向にばね付勢されて相応する２つの被ロック部材の係止溝内に係入して前記２つの鏡板をロックする２つのロック部材半部とから成り、各鏡板に相応するロック部材半部は、相応する鏡板が引き出されると前記ばね付勢に抗して相応する被ロック部材の係止溝から脱出するように形成され、第２のロック機構は、前記キャビネットの内面に設けられ前記２つの被ロック部材を案内自在に支持する案内部材と、前記キャビネットの内面に設けられた第２の２つの保持部材内に設けられそれぞれ相応する被ロック部材をロックするように前記ロック部材の変位方向にばね付勢されているが、相手方の鏡板が引き込み位置にあるときに、前記相手方の鏡板に結合されている被ロック部材によってばね付勢に抗してロックから解放されるように変位される第２の別個のロック部材とから成っていることを特徴とする両面引出し装置。
【請求項８】
請求項１又は２に記載の両面引出し装置であって、前記２つの被ロック部材は、前記キャビネットの内面に設けられた案内部材に案内自在に支持され、前記ロック部材は、前記キャビネットの内面に設けられた保持部材内に保持され、前記２つの鏡板が引き込み位置にあるときに、前記保持部材内にそれぞれ相互に反対方向にばね付勢されて相応する２つの被ロック部材の係止溝内に係入して前記２つの鏡板をロックする２つのロック部材半部から成り、各鏡板に相応するロック部材半部は、相応する鏡板が引き出されると前記ばね付勢に抗して相応する被ロック部材の係止溝から脱出するように形成されていることを特徴とする両面引出し装置。
【請求項９】
請求項１又は２に記載の両面引出し装置であって、前記ロック手段は、第１のロック機構と第２のロック機構とを含み、第１のロック機構は、前記キャビネットの内面に設けられ前記２つの被ロック部材を案内自在に支持する案内部材と、前記２つの鏡板が引き込み位置にあるときに、前記キャビネットの内面に設けられた保持部材内でそれぞれ相互に反対方向にばね付勢されて相応する２つの被ロック部材の係止溝内に係入して前記２つの鏡板をロックする２つのロック部材半部から成り、各鏡板に相応するロック部材半部は、相応する鏡板が引き出されると前記ばね付勢に抗して相応する被ロック部材の係止溝から脱出するように形成され、第２のロック機構は、前記キャビネットの内面に設けられて被ロック部材を案内自在に支持する案内部材と、前記キャビネットの内面に設けられた第２の２つの保持部材内に設けられそれぞれ相応する被ロック部材をロックするように前記ロック部材の変位方向にばね付勢されているが、相手方の鏡板が引き込み位置にあるときに、前記相手方の鏡板に結合されている被ロック部材によってばね付勢に抗してロックから解放されるように変位される第２の別個のロック部材とから成っていることを特徴とする両面引出し装置。
【発明の詳細な説明】
【技術分野】
【０００１】
本発明は、前後の両方が開口しているキャビネットのいずれかの開口から共通の引き出し部材を引き出すことができる両側引き出し装置の改良に関するものである。
【背景技術】
【０００２】
部屋の壁に沿って配置するのではなく、部屋の真ん中の如き両側に引き出し空間があるように配置される引き出し付きのキャビネットにおいて、引き出し部材をキャビネットの前後いずれの側からも引き出すことができるが、いずれかの側から引き出し部材が引き出されているときには、他方の側から引き出し部材を引き出すために相応する鏡板を操作することができないようにした両側引き出し装置が提案されている（特許文献１参照）。
【０００３】
この従来技術の引き出し装置は、キャビネット側のレールと鏡板側のレールとを備えており、キャビネットの一方の開口の鏡板を引いて引出し部材を引き出しているときに、他方の開口側の鏡板を操作をすることができないようにするために、鏡板側のレールを上下に変位して引出し部材の側板溝又は底部と引出し受け部とを係合して他方の鏡板をロックするように構成されている。
【０００４】
しかし、このような構造であると、レール自体を変位してロック及びその解除を行うので、構造が複雑となる上に、両方の鏡板を同時に引くような操作が行われると、両方の鏡板が同時に開いて引出し装置が破損する虞があった。
【０００５】
【特許文献１】実公平３−３２１３号公報
【発明の開示】
【発明が解決しようとする課題】
【０００６】
本発明が解決しようとする１つの課題は、引出し部材及びそれに結合されている部材が上下に変動することなく水平移動のみで開閉することができ、従って構造が簡単となる両面引出し装置を提供することにある。
【０００７】
本発明が解決しようとする他の課題は、両側から同時に引き出し部材を開こうとする操作を抑制して装置の破損を防止することができる両面引出し装置を提供することにある。
【課題を解決するための手段】
【０００８】
本発明の第１の基本的な課題解決手段は、前後面が開口するキャビネットに摺動自在に支持され前後面のいずれかからも引き出し自在に支持されている引出し部材と、キャビネットの前後の開口面を閉じ引出し部材をいずれかの開口から引き出す際に引出し部材に結合される前後の２つの鏡板と、引出し部材をいずれか一方の開口から引き出すために相応する鏡板を引くと他方の鏡板をキャビネットにロックするロック手段とを備えた両面引出し装置において、ロック手段は、２つの鏡板にそれぞれ設けられてキャビネット内に水平に延びキャビネットの内面に設けられた案内部材に摺動自在に支持された２つの被ロック部材と、これらの被ロック部材をロックするように直線的に変位するロック部材とから成っていることを特徴とする両面引出し装置を提供することにある。
【０００９】
本発明の第１の基本的な課題解決手段において、被ロック部材は、典型的には、前後の鏡板の間を延びる案内杆を兼ねた杆状の形態である。
【００１０】
本発明の第２の基本的な課題解決手段は、前後面が開口するキャビネットに摺動自在に支持され前後面のいずれかからも引き出し自在に支持されている引出し部材と、キャビネットの前後の開口面を閉じ引出し部材をいずれかの開口から引き出す際に引出し部材に結合される前後の２つの鏡板と、引出し部材をいずれか一方の開口から引き出すために相応する鏡板を引くと他方の鏡板を前記キャビネットにロックするロック手段とを備えた両面引出し装置において、ロック手段は、２つの鏡板にそれぞれ取り付けられてキャビネット内に水平に延びキャビネットの内面に設けられた案内部材に摺動自在に支持された２つの杆状被ロック部材と、これらの被ロック部材を可動的に保持して被ロック部材をロックするように被ロック部材を横切る方向に変位するロック部材とから成っていることを特徴とする両面引出し装置を提供することにある。
【００１１】
本発明の第１及び第２の基本的な課題解決手段において、ロック部材が変位する方向は、キャビネットの上下方向又は左右方向とすることができる。
【００１２】
本発明の第１及び第２の基本的な課題解決手段において、２つの被ロック材は、キャビネットの内面に設けられ案内部材を兼ねた共通の保持部材にロック部材の変位方向に相対して支持され、ロック部材は、２つの鏡板が引き込み位置にあるときに、保持部材内にそれぞれ相互に反対方向にばね付勢されて相応する２つの被ロック部材の係止溝内に係入して２つの鏡板をロックする２つのロック部材半部から成り、各鏡板に相応するロック部材半部は、相応する鏡板が引き出されるとばね付勢に抗して相応する被ロック部材の係止溝から脱出するように形成されている形態とすることができる。
【００１３】
また、本発明の第１及び第２の基本的な課題解決手段において、２つの被ロック部材は、キャビネットの内面に設けられた案内部材に案内自在に支持され、ロック部材は、キャビネットの内面に設けられた保持部材内にそれぞれ保持されて相応する被ロック部材をロックするようにロック部材の変位方向にばね付勢されているが、相手方の鏡板が引き込み位置にあるときに、相手方の鏡板に結合されている被ロック部材によってばね付勢に抗してロックから解放されるように変位される形態とすることができる。
【００１４】
本発明の第１及び第２の基本的な課題解決手段において、ロック手段は、第１のロック機構と第２のロック機構とを含み、第１のロック機構は、キャビネットの内面に設けられ２つの被ロック部材をロック部材の変位方向に相対して支持する第１の共通の案内部材を兼ねた保持部材と、２つの鏡板が引き込み位置にあるときに、第１の保持部材内にそれぞれ相互に反対方向にばね付勢されて相応する２つの被ロック部材の係止溝内に係入して２つの鏡板をロックする２つのロック部材半部とから成り、各鏡板に相応するロック部材半部は、相応する鏡板が引き出されると前記ばね付勢に抗して相応する被ロック部材の係止溝から脱出するように形成され、第２のロック機構は、キャビネットの内面に設けられて被ロック部材を案内自在に支持する案内部材と、キャビネットの内面に設けられた各保持部材内でそれぞれ相応する被ロック部材をロックするようにロック部材の変位方向にばね付勢されているが、相手方の鏡板が引き込み位置にあるときに、相手方の鏡板に結合されている被ロック部材によってばね付勢に抗してロックから解放されるように変位される第２の別個のロック部材とから成っている形態とすることができる。
【００１５】
本発明の第１の基本的な課題解決手段において、２つの被ロック部材は、キャビネットの内面に設けられた案内部材に案内自在に支持され、ロック部材は、キャビネットの内面に設けられ保持部材内に保持され、２つの鏡板が引き込み位置にあるときに、保持部材内にそれぞれ相互に反対方向にばね付勢されて相応する２つの被ロック部材の係止溝内に係入して２つの鏡板をロックする２つのロック部材半部から成り、各鏡板に相応するロック部材半部は、相応する鏡板が引き出されるとばね付勢に抗して相応する被ロック部材の係止溝から脱出するように形成されている形態とすることができる。
【００１６】
本発明の第１の基本的な課題解決手段において、ロック手段は、第１のロック機構と第２のロック機構とを含み、第１のロック機構は、キャビネットの内面に設けられ２つの被ロック部材を案内自在に支持する案内部材と、２つの鏡板が引き込み位置にあるときに、キャビネットの内面に設けられた保持部材内でそれぞれ相互に反対方向にばね付勢されて相応する２つの被ロック部材の係止溝内に係入して２つの鏡板をロックする２つのロック部材半部から成り、各鏡板に相応するロック部材半部は、相応する鏡板が引き出されるとばね付勢に抗して相応する被ロック部材の係止溝から脱出するように形成され、第２のロック機構は、キャビネットの内面に設けられて被ロック部材を案内自在に支持する案内部材と、キャビネットの内面に設けられた各保持部材内でそれぞれ相応する被ロック部材をロックするようにロック部材の変位方向にばね付勢されているが、相手方の鏡板が引き込み位置にあるときに、相手方の鏡板に結合されている被ロック部材によってばね付勢に抗してロックから解放されるように変位される第２の別個のロック部材とから成っている形態とすることができる。
【００１７】
ロック手段又はロック機構が２つのロック部材半部から成っている場合、これらの２つのロック部材半部は、ロック状態で間隙を介して相対しており、この間隙は、両方のロック部材半部が相応する被ロック部材の係入溝から同時に脱出することができない程度の寸法に設定されているのが好ましい。
【発明の効果】
【００１８】
本発明によれば、上記のように、引出し部材はもちろん、鏡板もそれに取り付けられる被ロック部材も引出し開放操作で変位することがなく、従って構造が単純化され、またこれらの主要部品は、水平な動きをするだけであるので、開閉操作を円滑に行うことができる。
【００１９】
また、２つの被ロック部材が相対して支持され、２つの鏡板が引き込み位置にあるときに、それぞれ相互に反対方向にばね付勢されて相応する２つの被ロック部材の係止溝内に係入して２つの鏡板をロックする２つのロック部材半部から成っており、これらの２つのロック部材半部がロック状態で間隙を介して相対しており、この間隙が両方のロック部材半部が相応する被ロック部材の係入溝から同時に脱出することができないように設定されていると、２つの鏡板が同時に開放操作を受けた場合、これらの２つのロック部材半部が相互に干渉して被ロック部材を横切る方向に変位することができないため、引出し部材の同時開放操作が行われることがなく、従って装置が破損することがない。
【発明を実施するための最良の形態】
【００２０】
本発明の実施の形態を図面を参照して詳細に述べると、図１乃至図４は、本発明の１つの実施の形態による両面引出し装置１０を示し、この両面引出し装置の両方が閉じられた状態が図１に示され、一方に開いた状態が図２に示され、他方に開いた状態が図３に示されている。
【００２１】
本発明の両面引出し装置１０は、前後面が開口するキャビネット２０に摺動自在に支持され前後面のいずれかからも引き出し自在に支持されている引出し部材３０と、キャビネット２０の前後の開口面を閉じ引出し部材３０をいずれかの開口側から引き出す際にこの引出し部材３０に結合される前後の２つの鏡板４０Ｆ、４０Ｂと、引出し部材３０を引き出す鏡板４０Ｆ又は４０Ｂをキャビネット２０にロックするロック手段７０とを備えている。このロック手段７０は、鏡板４０Ｆ、４０Ｂの閉じ位置（図１参照）でこれらの鏡板４０Ｆ、４０Ｂをロックする第１の形態と、一方の鏡板４０Ｆ又は４０Ｂを引くと、他方の鏡板４０Ｂ又は４０Ｆをロックする第２の形態とを含む。  
【００２２】
図１乃至図４、特に図４に示すように、引出し部材３０は、底板３０Ｂと側板３０Ｓとを有する箱から成っており、この引出し部材３０は、図示しないレールによってキャビネット２０の側壁２０Ｗに摺動自在に支持されている。
【００２３】
引出し部材３０を引き出すために、２つの鏡板４０Ｆ、４０Ｂの一方を手前に引くと、その鏡板４０Ｆ又は４０Ｂを引出し部材３０に着脱自在に結合する結合手段６０を備えている。この結合手段６０は、鏡板４０Ｆ、４０Ｂの内面にブラケット６２を介して枢動自在に取付けられた上下の結合鉤６４Ｕ、６４Ｄと、引出し部材３０の側板３０Ｓに取り付けられて結合鉤６４Ｕ、６４Ｄが係止する係止片６６Ｕ、６６Ｄとから成っている。結合鉤６４Ｕ、６４Ｄは、引出し部材３０の係止片６６Ｕ、６６Ｄに自重で係止するが（図２の右側及び図３の左側参照）、鏡板４０Ｆ、４０Ｂの一方または双方がキャビネット２０の開口を閉じると、キャビネット２０の側板２０Ｓの内面に取付けられたストッパー６８に係合して引出し部材３０の係止片６６Ｕ、６６Ｄから脱出する方向に角度変位する（図１の両方、図２の左側、図３の右側参照）。
【００２４】
ロック手段７０は、２つの鏡板４０Ｆ、４０Ｂにそれぞれ結合されてキャビネット２０内に水平に延びキャビネット２０の側壁２０Ｗの内面に取り付けられた保持部材７２に摺動自在に支持された２つの被ロック部材７４Ｆ、７４Ｂと、被ロック部材７４Ｂ又は７４Ｆを横切る方向に可動的に保持されて少なくとも一方の鏡板４０Ｆ又は４０Ｂが引き出されると、他方の鏡板４０Ｆ又は４０に結合されている被ロック部材７４Ｂ又は７４Ｆをロックするように上下に変位するロック部材７８とから成っている。
【００２５】
図１乃至図３に示すように、被ロック部材７４Ｆ、７４Ｂは、図示の形態では、鏡板４０Ｆ、４０Ｂに固定された保持筒４０ＦＣ、４０ＢＣに差し込まれ、保持筒４０ＦＣ、４０ＢＣの前面からねじ込まれる固定ねじ４０ＦＴ、４０ＢＴによってこの保持筒４０ＦＣ、４０ＢＣに固定されている。なお、取付筒４０ＦＣ、４０ＢＣは、後に詳細に述べるように、被ロック部材７４Ｆ、７４Ｂをそれぞれロックするための係止溝４０ＦＣＧ、４０ＢＣＧを有する。
【００２６】
図示の形態では、ロック手段７０は、先に述べた第１の形態の機能を有する第１のロック機構７０Ａと第２の形態の機能を有する第２のロック機構７０Ｂとを含んでいるが、第１のロック機構７０Ａは省略してもよい。
【００２７】
第１のロック機構７０Ａは、前後の鏡板４０Ｆと４０Ｂとのほぼ中間に配置されており、このロック機構７０Ａは、キャビネット２０の側壁２０Ｗの内面に固定され２つの被ロック部材７４Ｆ、７４Ｂを上下に相対して支持する第１の共通の案内部材を兼ねた保持部材７２０と、この第１の保持部材７２０内に被ロック部材７４Ｆ、７４Ｂに相応して配置された２つのロック部材半部７８０ＨＦ、７８０ＨＢとから成っている。
【００２８】
これらの２つのロック部材半部７８０ＨＦ、７８０ＨＢは、２つの鏡板４０Ｆ、４０Ｂが引き込み位置にあるときに、２つのロック部材半部７８０ＨＦ、７８０ＨＢの間に配置された２つのばね７８０Ｓによってそれぞれ相互に反対方向に付勢されて相応する２つの被ロック部材７４Ｆ、７４Ｂの環状の係止溝７４ＦＧ、７４ＢＧ内に係入する係入突起７８０ＨＦＰ、７８０ＨＢＰを有する。これらのロック部材半部７８０ＨＦ、７８０ＨＢは、相応する鏡板４０Ｆ、４０Ｂが引き出されると、ばね７８０Ｓの付勢に抗して相応する被ロック部材７４Ｆ、７４Ｂの係止溝７４ＦＧ、７４ＢＧから脱出するように形成されている。
【００２９】
２つのロック部材半部７８０ＨＦ、７８０ＨＢは、図１のロック状態で間隙７８０Ｇを介して相対しており、この間隙７８０Ｇは、両方のロック部材半部７８０ＨＦ、７８０ＨＢが同時に相応する被ロック部材７４Ｂ、７４ＦＢの係入溝４０Ｇ、４０ＢＧから脱出することができない程度の寸法、即ち各ロック部材半部７８０ＨＦ、７８０ＨＢの突起７８０ＨＦＰ及び７８０ＨＢＰの合計高さよりも短い寸法に設定されている。
【００３０】
被ロック部材７４Ｆ、７４Ｂの環状の係止溝７４ＦＧ、７４ＢＧは、ロック部材半部７８０ＨＦ、７８０ＨＢの突起７８０ＨＦＰ、７８０ＨＢＰの係入で被ロック部材７４Ｆ、７４Ｂをロックするが、鏡板４０Ｆ、４０Ｂを介して被ロック部材７４Ｆ、７４Ｂを手で強制的に引くと、相応するロック部材半部７８０ＨＦ、７８０ＨＢの突起７８０ＨＦＰ、７８０ＨＢＰが係止溝７４ＦＧ、７４ＢＧから外れて被ロック部材７４Ｆ、７４Ｂの係止溝を有しない部分に乗り上げてロックを外すことができるように断面半円形の形態又はそれに近い丸みを有する。
【００３１】
第２のロック機構７０Ｂ、７０Ｆは、キャビネット２０の側壁２０Ｗの内面に固定されて２つの被ロック部材７４Ｆ、７４Ｂをそれぞれ別個に支持する第２の２つの案内部材を兼ねた保持部材７２０Ｆ、７２０Ｂと、これらの保持部材７２０Ｆ、７２０Ｂ内にそれぞれ被ロック部材７４Ｆ、７４Ｂを横切る方向、即ち上下方向に変位することができるように配置された第２の２つの爪付きロック部材７８０Ｆ、７８０Ｂとから成っている。
【００３２】
爪付きロック部材７８０Ｆ、７８０Ｂの爪７８０ＦＰ、７８０ＢＰは、図５に示すように、相応する被ロック部材７４Ｆ、７４Ｂの保持筒４０ＦＣ、４０ＢＣの係入溝４０ＦＣＧ、４０ＢＣＧに整列するように配置されており、これらの爪付きロック部材７８０Ｆ、７８０Ｂは、それらの爪７８０ＦＰ、７８０ＢＰが相手方の被ロック部材７４Ｂ、７４Ｆの保持筒４０ＢＣ、４０ＦＣの係止溝４０ＢＣＧ、４０ＦＣＧに係入して相手方の被ロック部材７４Ｂ、７４Ｆ、即ち鏡板４０Ｂ、４０Ｆをロックするようにばね７８０ＦＳ、７８０ＢＳによって上方又は下方に付勢されているが（図２又は図３参照）、相手方の鏡板４０Ｂ又は４０Ｆが引き込み位置にあるときに、相手方の鏡板４０Ｂ又は４０Ｆに結合されている被ロック部材７４Ｂ又は７４Ｆの先端によってばね７８０ＢＳ、７８０ＦＳの付勢に抗して爪７８０ＦＰ、７８０ＢＰが保持筒４０ＢＣ、４０ＦＣの係止溝４０ＢＣＧ、４０ＦＣＧから脱出してロックから解放されるに変位される。
【００３３】
次に、本発明の両面引出し装置１０の使用状態を述べると、図１に示すように、両方の鏡板４０Ｆ、４０Ｂがキャビネット２０の開口を閉じて引出し部材３０が閉じているときには、第１のロック機構７０Ａは、被ロック部材７４Ｆ、７４Ｂの係止溝７４ＦＧ、７４ＢＧにロック部材半部７８０ＨＦ、７８０ＨＢの突起７８０ＨＦＰ、７８０ＨＢＰが係入してこれらの被ロック部材７４Ｆ、７４Ｂをロックしており、従っていずれの鏡板４０Ｆ、４０Ｂも不本意に開くことがない。なお、この場合、第２のロック機構７０Ｆ、７０Ｂは、爪付きロック部材７８０Ｆ、７８０Ｂの爪７８０ＦＰ、７８０ＢＰがいずれも相応する被ロック部材７４Ｂ、７４Ｆの保持筒４０ＢＣ、４０ＦＣの係止溝４０ＢＣＧ、４０ＦＣＧから脱出しているので、ロックが掛けられていない。
【００３４】
この状態から、例えば、鏡板４０Ｆを引いて引出し部材３０を図１の右側に開こうとすると、相応する被ロック部材７４Ｆが第１のロック機構７０Ａのばね７８０Ｓに抗してロック部材半部７８０ＨＦを持ち上げつつ右方に移動する。この際、結合手段６０の結合鉤６４Ｕ、６４Ｄがストッパー６８から離反するので、鏡板４０Ｆが引出し部材３０に結合し、引出し部材３０が右方に開く（図２参照）。
【００３５】
この際、被ロック部材７４Ｆの後端（図１の左端）が第２のロック機構７０Ｆの保持部材７２０Ｆから脱出するので、ばね７２０ＦＳによって爪付きロック部材７８０Ｆが下降し、爪７８０ＦＰが相手方の被ロック部材７４Ｂの保持筒４０ＢＣの係止溝４０ＢＣＧに係入して被ロック部材７４Ｂ及び鏡板４０Ｂがロックされ、反対側の鏡板４０Ｂを介して引出し部材３０を開こうとする操作が防止される（図２参照）。
【００３６】
図２の状態から引出し部材３０を更に引くと、引出し部材３０は、収容物を自由に出し入れすることができるように、大きく開くことができる。
【００３７】
右側に開放した引出し部材３０を閉めるために、鏡板４０Ｆをキャビネット３０内に押し込むと、被ロック部材７４Ｆが左方に移動し、その後端が第２のロック機構７０Ｂの案内部材７２０Ｆに入り込むので、第２のロック機構７０Ｂの爪付きロック部材７８０Ｆが被ロック部材７４Ｂの保持筒４０ＢＣの係止溝４０ＢＣＧから外れて被ロック部材７４Ｂのロックを外し、また被ロック部材７４Ｆの係止溝７４ＦＧが第１のロック機構７０Ａのロック部材半部７８０Ｆに整列するため、ばね７８０Ｓによってロック部材半部７８０Ｆが被ロック部材７４Ｆの係止溝７４ＦＧに係入して被ロック部材７４Ｆをロックする（図１参照）。
【００３８】
引出し部材３０を左側に開こうとするには、鏡板４０Ｂを引くが、その動作は、右側に開くのとは対称的に行われることを除いて実質的に同じであり、第１のロック機構７０Ａが被ロック部材７４Ｂのロックを外し、第２のロック機構７０Ｆが相手方の被ロック部材７４Ｆをロックする。左側に開いた引出し部材３０を閉じる動作も右側の場合と対称的であることを除いて実質的に同じである。
【００３９】
上記のように、引出し部材３０はもちろん、鏡板４０Ｆ、４０Ｂもそれに取り付けられる被ロック部材７４Ｆ、７４Ｂも引出し開放操作で上下（引出方向と直角の方向）に変位することがなく、これらの主要部品は、水平な動きをするだけであるので、開閉操作を円滑に行うことができることが解る。
【００４０】
また、特に、第１のロック機構７０Ａは、２つのロック部材半部７８０ＨＦ、７８０ＨＢのロック状態で生ずる間隙７８０Ｇが両方のロック部材半部７８０ＨＦ、７８０ＨＢが相応する被ロック部材７４Ｆ、７４Ｂの係止溝７４ＦＧ、７４ＢＧから同時に脱出することができない程度の寸法に設定されているので、２つの鏡板４０Ｆ、４０Ｂが同時に開放操作を受けた場合、これらの２つのロック部材半部７８０Ｆ、７８０Ｂが相互に干渉して上下に変位することができないため、引出し部材３０の同時開放操作が行われることがない。
【００４１】
本発明の他の形態に両面引出装置１０が図７に示されており、この形態の装置は、図１乃至図６に示された第１の形態に相応する形態のロック機構７０Ａを有し、このロック機構７０Ａは、被ロック部材７４Ｆ、７４Ｂが保持部材７２０に案内自在に支持されていないで保持部材７２０とは別個にキャビネット２０の側壁２０Ｗの内面に固定された各２つの案内部材８０Ｆ、８０Ｆ及び８０Ｂ、８０Ｂによって摺動（案内）自在に支持され、被ロック部材７４Ｆ、７４Ｂが保持部材７２０の上下の壁面に接近して移動するように配置されていることを除いて図１乃至図６の第１の形態と同じである。ロック部材半部７８０ＨＦ、７８０ＨＢの突起７８０ＨＦＰ、７８０ＨＢＰは、保持部材７２０の上下の壁面に設けられた貫通孔７２０ＨＵ、７２０ＨＬを通して進退して被ロック部材７４Ｆ、７４Ｂの環状の係止溝７４ＦＧ、７４ＢＧに係入したりこれらの係止溝７４ＦＧ、７４ＢＧから脱出したりして被ロック部材７４Ｆ、７４Ｂ及びそれに結合された鏡板４０Ｆ、４０Ｂをロックしたり、ロックから解放したりする。
【００４２】
本発明の更に他の形態に両面引出装置１０が図８に示されており、この形態の装置は、図１乃至図６に示された第２の形態に相応する形態のロック機構７０Ｂを有し、このロック機構７０Ｂは、保持部材７２０Ｆ、７２０Ｂが鏡板４０Ｆ、４０Ｂの内面から離れて内側に配置され、被ロック部材７４Ｆ、７４Ｂに係止溝４１ＦＣＧ、４１ＢＣＧを有する固定環４１ＦＣ、４１ＢＣが固定されていることを除いて図１乃至図６の第２の形態と同じである。ロック部材７８０Ｆ又は７８０Ｂは、対応する被ロック部材７４Ｆ又は７４Ｂが相応する鏡板４０Ｆ又は４０Ｂの開放動作で保持部材７２０Ｆ又は７２０Ｂから抜けるように移動すると、ばね７８０Ｓによってその爪７８０ＦＰ又は７８０ＢＰが相手方の被ロック部材７４Ｂ又は７４Ｆの固定環４１ＢＣ又は４１ＦＣの係止溝４１ＢＣＧ又は４１ＦＣＧに係入して相手方の被ロック部材７４Ｂ又
は７４Ｆをロックする。
【００４３】
図示していないが、図７の形態のロック機構７０Ａと図８の形態のロック機構７０Ｂとを組み合わせてもよいことはもちろんである。
【００４４】
図１乃至図８において、符号８０Ｆ、８０Ｂは、キャビネット２０の側壁２０Ｗの内面に固定して鏡板４０Ｆ、４０Ｂの引出操作に伴う被ロック部材７４Ｆ、７４Ｂの長手方向の移動をそれぞれ案内する案内部材であるが、これらの案内部材８０Ｆ、８０Ｂは、被ロック部材７４Ｆ、７４Ｂ毎に別個でなく、共通としてもよいことはもちろんである。図１乃至図６及び図８に示すように、ロック手段７０の保持部材７２０、７２０Ｆ，７２０Ｂが案内部材を兼ねることができる。
【００４５】
図示の実施の形態では、鏡板４０Ｆ、４０Ｂに連結された被ロック部材７４Ｆ、７４Ｂがキャビネット２０の側壁２０Ｗの内面と引出部材３０の側壁の外面との間に設けられてロック手段７０のロック部材７８が変位する方向が上下方向であったが、被ロック部材７４Ｆ、７４Ｂがキャビネット２０の底壁と引出部材３０の底壁３０Ｂとの間に配置されている場合には、ロック手段７０のロック部材７８が変位する方向が左右方向（鏡板の幅方向）となる。
【産業上の利用可能性】
【００４６】
本発明によれば、２つの鏡板をロックするロック手段の構成部品が水平運動するだけでロック及びその解放を行うことができるので、操作を円滑に行うことができ、また両方の鏡板が同時に引かれる同時操作が抑制されるので、装置の破損を防止することができ、産業上の利用性が向上する。
【図面の簡単な説明】
【００４７】
【図１】本発明の実施の形態による両面引出し装置の垂直断面図である。
【図２】図１の両面引出し装置の引き出し部材を一方側に開放した状態の垂直断面図である。
【図３】図１の両面引出し装置の引き出し部材を反対側に開放した状態の垂直断面図である。
【図４】図１の両面引出し装置の水平断面図である。
【図５】図１の両面引出し装置のＡ−Ａ線で切断してそのロック状態（図５Ａ）とロック解放状態（図５Ｂ）とを示す第１のロック機構の断面図である。
【図６】図１の両面引出し装置のＢ−Ｂ線で切断してそのロック解放状態（図６Ａ）とロック状態（図６Ｂ）とを示す第２のロック機構の断面図である。
【図７】本発明の他の実施の形態による両面引出し装置の垂直断面図である。
【図８】本発明の更に他の実施の形態による両面引出し装置の垂直断面図である。
【符号の説明】
【００４８】
１０  両面引出し装置
２０  キャビネット
２０Ｗ  側壁
３０  引出し部材
３０Ｂ  底板
３０Ｓ  側板
４０Ｆ、４０Ｂ  鏡板
４０ＦＧ、４０ＢＧ  係止溝
４０ＦＣ、４０ＢＣ  保持筒
４０ＦＣＧ、４０ＢＣＧ  係止溝
４０ＦＴ、４０ＢＴ  固定ねじ
４１ＦＣ、４１ＢＣ  固定環
４１ＢＣＧ、４１ＦＣＧ  係止溝
６０  結合手段
６２  ブラケット
６４Ｕ、６４Ｄ  上下の結合鉤
６６Ｕ、６６Ｄ  上下の係止片
６８  ストッパー
７０  ロック手段
７２  保持部材
７４Ｆ、７４Ｂ  被ロック部材
７４ＦＧ、７４ＢＧ  係止溝
７８  ロック部材
７０Ａ  第１のロック機構
７０Ｂ  第２のロック機構
７２０  第１のロック機構の共通の保持部材
７２０Ｆ、７０２Ｂ  第２のロック機構の保持部材
７８０ＨＦ、７８０ＨＢ  第１のロック機構のロック部材半部
７８０ＨＦＰ、７８０ＨＢＰ  突起
７８０Ｇ  間隙
７８０Ｓ、７８０ＦＳ、７８０ＢＳ  ばね
７８０Ｆ、７８０Ｂ  第２のロック機構のロック部材
７８０ＦＰ、７８０ＢＰ  爪
８０Ｆ、８０Ｂ  案内部材
【図１】
2007007270.tif 000003
【図２】
2007007270.tif 000004
【図３】
2007007270.tif 000005
【図４】
2007007270.tif 000006
【図５】
2007007270.tif 000007
【図６】
2007007270.tif 000008
【図７】
2007007270.tif 000009
【図８】
2007007270.tif 000010